(57)【要約】【課題】運動時の筋パワーを向上することができる運動用衣服を提供する。【解決手段】本発明の運動用衣服１は、身体にほぼ密着した状態で着用される運動用衣服であり、運動用衣服１は、少なくとも腰部から大腿部の上部までを被覆する部分を有し、伸縮性を有する生地で構成されており、運動用衣服１は、緊締力の強い緊締部２、３を有し、緊締部２、３が、骨格筋の筋腹を覆わないように、長さ方向に沿って骨格筋の左右の両側に形成されており、上記骨格筋が大腿直筋、中間広筋、外側広筋、内側広筋、大腿二頭筋、半膜様筋、半腱様筋からなる群から選択される一種以上の筋肉である。【選択図】図１
2013139662.tif 000002
【特許請求の範囲】
【請求項１】
身体にほぼ密着した状態で着用される運動用衣服であり、
前記運動用衣服は、少なくとも腰部から膝上までを被覆する部分を有し、伸縮性を有する生地で構成されており、
前記運動用衣服は、緊締力の強い緊締部を有し、前記緊締部が、骨格筋の筋腹を覆わないように、長さ方向に沿って骨格筋の左右の両側に形成されており、前記骨格筋が大腿直筋、中間広筋、外側広筋、内側広筋、大腿二頭筋、半膜様筋、半腱様筋からなる群から選択される一種以上の筋肉であることを特徴とする運動用衣服。
【請求項２】
前記緊締部が、大腿直筋、中間広筋、外側広筋及び内側広筋で構成されている大腿四頭筋の筋腹を覆わないように、長さ方向に沿って大腿四頭筋の左右の両側に形成されている請求項１に記載の運動用衣服。
【請求項３】
前記緊締部が、大腿二頭筋、半膜様筋及び半腱様筋で構成されているハムストリングの筋腹を覆わないように、長さ方向に沿ってハムストリングの左右の両側に形成されている請求項１又は２に記載の運動用衣服。
【請求項４】
前記緊締部が、さらに腓腹筋及びヒラメ筋からなる群から選択される一種以上の筋肉の筋腹を覆わないように、長さ方向に沿って腓腹筋及び／又はヒラメ筋の左右の両側に形成されている請求項１〜３のいずれか１項に記載の運動用衣服。
【請求項５】
前記緊締部が、さらに大殿筋の筋腹を覆わないように、長さ方向に沿って大殿筋の外側に形成されている請求項１〜４のいずれか１項に記載の運動用衣服。
【請求項６】
前記緊締部が、さらに大腿直筋、中間広筋、外側広筋、内側広筋、大腿二頭筋、半膜様筋、半腱様筋、腓腹筋及びヒラメ筋からなる群から選択される一種以上の筋肉の筋頭及び／又は筋尾に形成されている請求項１〜５のいずれか１項に記載の運動用衣服。
【請求項７】
前記緊締部が、さらに骨盤まわりにも形成されている請求項１〜６のいずれか１項に記載の運動用衣服。
【請求項８】
前記緊締部を構成する生地と、前記緊締部を除くその他の部位を構成する生地の身体の長軸方向における伸長率の比が１．５〜３．４である請求項１〜７のいずれか１項に記載の運動用衣服。
【請求項９】
前記緊締部を構成する生地の身体の長軸方向における伸長率が１０〜２００％である請求項１〜８のいずれか１項に記載の運動用衣服。
【発明の詳細な説明】
【技術分野】
【０００１】
本発明は、腰部から膝上までを被覆する部分を有する運動用衣服に関する。
【背景技術】
【０００２】
従来から、スポーツウェアについて、適切な素材を用いることで、運動をサポートする機能を持たせる研究が進められていた。また、近年では、緊締力が強い部分を形成し、運動をサポートする機能を向上させたスポーツウェアが提案されている。例えば、特許文献１には、伸縮部と、伸縮部より緊締力が大きく伸縮性を有する緊締部を有し、上記緊締部が上記伸縮部から連続して一体に形成され身体の所望の部位に当接しサポートする所定の形状に形成されている運動用被服が開示されている。また、特許文献２には、少なくとも脚部の一部を被覆し、脚部の形状に応じて伸縮するボトムウェア部と、該ボトムウェア部に取り付けられるとともに、膝蓋骨に対応する膝エリアの内側及び外側に設けられ、脚部の上下方向に伸長し、収縮力を発生させる緊締ベルト部と、緊締ベルト部で挟まれた膝蓋エリアを被覆し、膝関節の屈伸運動に応じて伸縮する膝サポート部とを有する股つき衣類が開示されている。
【先行技術文献】
【特許文献】
【０００３】
【特許文献１】特開２００５−４８３３２号公報
【特許文献２】特許第４６４２５２４号公報
【発明の概要】
【発明が解決しようとする課題】
【０００４】
しかし、特許文献１では、緊締部により股関節や膝関節などの関節を安定に保っており、特許文献２では、ボトムウェア部、緊締ベルト部、膝サポート部の緊締力や伸張性に差を設けることにより膝関節の安定した動きをサポートしているが、運動時の筋力発揮や筋パワーを向上するためにさらに改善することが望まれる。
【０００５】
本発明は、上記従来の問題を解決するため、運動時の筋力発揮や筋パワーを向上することができる運動用衣服を提供する。
【課題を解決するための手段】
【０００６】
本発明の運動用衣服は、身体にほぼ密着した状態で着用される運動用衣服であり、上記運動用衣服は、少なくとも腰部から膝上までを被覆する部分を有し、伸縮性を有する生地で構成されており、上記運動用衣服は、緊締力の強い緊締部を有し、上記緊締部が、骨格筋の筋腹を覆わないように、長さ方向に沿って骨格筋の左右の両側に形成されており、上記骨格筋が大腿直筋、中間広筋、外側広筋、内側広筋、大腿二頭筋、半膜様筋、半腱様筋からなる群から選択される一種以上の筋肉であることを特徴とする。
【発明の効果】
【０００７】
本発明の運動用衣服は、骨格筋の筋腹を覆わないように、長さ方向に沿って骨格筋の左右の両側に緊締部を形成することにより、骨格筋を左右から挟みこみ筋腹を隆起させて、筋力発揮の際の筋肉形状にサポートすることができ、ランニングなどの運動時の筋力発揮や筋パワーを向上させることができる。
【図面の簡単な説明】
【０００８】
【図１】図１Ａは本発明の運動用衣服の一実施態様の正面図であり、図１Ｂは同背面図であり、図１Ｃは同外側面図である。
【図２】図２Ａは本発明の運動用衣服の他の一実施態様の正面図であり、図２Ｂは同背面図であり、図２Ｃは同外側面図である。
【図３】図３Ａは本発明の運動用衣服の他の一実施態様の正面図であり、図３Ｂは同背面図であり、図３Ｃは同外側面図である。
【図４】図４Ａは本発明の運動用衣服の他の一実施態様の正面図であり、図４Ｂは同背面図であり、図４Ｃは同外側面図である。
【図５】図５Ａは本発明の運動用衣服の他の一実施態様の正面図であり、図５Ｂは同背面図であり、図５Ｃは同外側面図である。
【図６】図６Ａは比較例の運動用衣服の正面図であり、図６Ｂは同背面図であり、図６Ｃは同外側面図である。
【図７】図７Ａは脱力時の大腿部の模式的断面図であり、図７Ｂは膝伸展時の大腿部の模式的断面図であり、図７Ｃは本発明の運動用衣服を着用し、膝を伸展した時の大腿部の模式的断面図である。
【図８】図８Ａは大腿四頭筋における体重当たりの筋発揮トルクと伸長率の比の関係を示すグラフであり、図８Ｂは大腿四頭筋における筋発揮トルク測定時の力の入れやすさの官能評価と伸長率の比の関係を示すグラフである。
【図９】図９Ａは腓腹筋における体重当たりの筋発揮トルクと伸長率の比の関係を示すグラフであり、図９Ｂは腓腹筋における筋発揮トルク測定時の力の入れやすさの官能評価と伸長率の比の関係を示すグラフである。
【発明を実施するための形態】
【０００９】
今までの運動機能をサポートする運動用衣服は、主に関節の動きをサポートしていた。しかし、本願では、今までとは全く異なる発想で、運動時の骨格筋の形状をサポートすることで筋力発揮や筋パワーを向上させている。
【００１０】
本発明において、「伸縮性を有する」とは、運動用衣服を構成する生地の身体の短軸方向における伸長率及び／又は身体の長軸方向における伸長率が０％を超えることを意味する。なお、本発明において、伸長率とは、ＪＩＳ  Ｌ  １０９６に準じて測定したものをいい、具体的には、荷重をかけていない状態の生地片の長さをＡとし、１５Ｎの荷重をかけた状態の生地片の長さをＢとした場合、伸長率＝（Ｂ−Ａ）／Ａ×１００で算出したものである。
【００１１】
また、本発明において、「ほぼ密着」の状態を作るには、人体の裸のサイズに対して、周囲方向は５０〜１１０％、より好ましくは７０〜９５％、丈は７５〜１００％、より好ましくは８５〜１００％として運動用衣服を形成する。もちろん人体のサイズは個人差があるので、前記の比率は目安である。より具体的には、ＪＡＳＰＯ規格に従ってサイズを決める。
【００１２】
本発明の運動用衣服は、少なくとも腰部から膝上までを被覆する部分を有すればよく、特に限定されない。例えば腰部から膝上までを覆うように形成されていてもよく、腰部から膝下までを覆うように形成されていてもよく、腰部から足首までを覆うように形成されていてもよく、腰部から足甲までを覆うように形成されていてもよい。大腿部の運動時の筋パワーを向上させるには、腰部から膝上までを覆うように形成されているハーフタイツであればよいが、下半身全体の運動時の筋パワーを向上させるという観点から、腰部から足首までを覆うように形成されたタイツ又は腰部から足甲までを覆うように形成されたタイツであることが好ましい。
【００１３】
本発明の運動用衣服は、緊締力の強い緊締部を有する。通常、生地の伸長率が低いほど緊締力が強くなり、本発明において、緊締力が強いとは、伸長率が低いこと、特に身体の長軸方向における伸長率（以下、単に長軸伸長率と記す。）が低いことを意味する。上記緊締部は、骨格筋の筋腹を覆わないように、長さ方向に沿って骨格筋の左右の両側に形成されている。通常、骨格筋は収縮することで筋力発揮するので、筋力発揮する際には、骨格筋の筋腹は隆起する。本発明の運動用衣服において、緊締部を骨格筋の筋腹を覆わないように、長さ方向に沿って骨格筋の左右の両側に形成することで、骨格筋を左右から挟みこみ筋腹を隆起させるため、筋力発揮した際の骨格筋の筋形状に近づけることができる。
【００１４】
図７には、大腿部の模式的断面図を示している。図７において、大腿骨４１の周囲に骨格筋が配置され（図示なし）、領域４２には大腿直筋、中間広筋、外側広筋及び内側広筋で構成されている大腿四頭筋（図示なし）が配置されている。図７Ａは脱力時の大腿部の模式的断面図であり、図７Ｂは大腿四頭筋発揮時の大腿部の模式的断面図であり、図７Ｃは本発明の運動用衣服を着用し、大腿四頭筋を発揮した時の大腿部の模式的断面図である。図７Ｂに示しているように、大腿四頭筋が活動した際、矢印４３で示す前方向へ厚みが増大することになる。そして、図７Ｃに示しているように、本発明の運動衣服を着用すると、緊締部により、部分４４に矢印４５で示す方向のテンションが大きくかかるため、矢印４３で示す前方向へ厚みが励起されやすくなり、大腿四頭筋の収縮（筋肉の隆起）をサポートするので大腿四頭筋の筋力発揮や筋パワーが向上することができる。
【００１５】
上記緊締部は、大腿直筋、中間広筋、外側広筋及び内側広筋で構成されている大腿四頭筋の筋腹を覆わないように、長さ方向に沿って大腿四頭筋の左右の両側に形成されていることが好ましく、さらに大腿二頭筋、半膜様筋及び半腱様筋で構成されているハムストリングの筋腹を覆わないように、長さ方向に沿ってハムストリングの左右の両側に形成されていることがより好ましい。上記緊締部は、連続した構成でもよく、分離した構成でもよい。ランニングなどの運動時の大腿部全体の骨格筋の筋力発揮時の筋形状をサポートすることにより、大腿部全体の筋力発揮や筋パワーを向上させることができる。
【００１６】
上記緊締部は、さらに腓腹筋及びヒラメ筋からなる群から選択される一種以上の筋肉の筋腹を覆わないように、長さ方向に沿って腓腹筋及び／又はヒラメ筋の左右の両側に形成されていることが好ましい。上記緊締部は、連続した構成でもよく、分離した構成でもよい。大腿部に加えて小腿部の筋力発揮や筋パワーを向上させることができる。
【００１７】
上記緊締部は、さらに大殿筋の筋腹を覆わないように、長さ方向に沿って大殿筋の外側に形成されていることが好ましい。上記緊締部は、連続した構成でもよく、分離した構成でもよい。下半身全体の筋力発揮や筋パワーを向上させることができる。
【００１８】
上記緊締部は、さらに大腿直筋、中間広筋、外側広筋、内側広筋、大腿二頭筋、半膜様筋、半腱様筋、腓腹筋及びヒラメ筋からなる群から選択される一種以上の筋肉の筋頭及び／又は筋尾に形成されていることが好ましい。上記緊締部は、連続した構成でもよく、分離した構成でもよい。骨格筋の筋頭及び／又は筋尾に緊締部を配置することで、筋頭及び／又は筋尾を圧迫し、筋腹を隆起させるため、骨格筋の筋力発揮時の筋形状により近づけることができ、筋力発揮がより行いやすくなる。
【００１９】
上記緊締部を構成する生地の身体の長軸方向における伸長率（以下、単に長軸伸長率と記す。）と、他の部位を構成する生地の長軸伸長率の比が１．３〜３．７であることが好ましく、１．５〜３．５であることがより好ましく、２〜３．５であることがさらに好ましく、２〜３であることが特に好ましい。伸長率の比が上記の範囲であることにより、動きやすさを保持しつつ、骨格筋に対する挟み込み効果に優れ、筋腹を隆起させやすく、運動時の筋力発揮や筋パワーが向上する。
【００２０】
上記緊締部を構成する生地の身体の長軸方向における伸長率（以下、単に長軸伸長率と記す。）が、緊締部を除くその他の部位（以下において、単に他の部位とも記す。）を構成する生地の長軸伸長率より、３０％以上低いことが好ましく、５０％以上低いことがより好ましく、７５〜１００％低いことがさらに好ましい。上記緊締部を構成する生地の長軸伸長率と他の部位を構成する生地の長軸伸長率の差が３０％以上であることにより、より効果的に筋力発揮の際の筋形状にサポートすることができる。
【００２１】
また、上記緊締部を構成する生地の長軸伸長率は、１０〜１２０％であることが好ましく、２０〜１００％であることがより好ましい。筋力発揮の際の筋肉形状サポート感に優れるうえ、圧迫感がなく着用感にも優れるからである。なお、各緊締部を構成する生地の長軸伸長率は同様であってもよく、異なっていてもよい。また、上記他の部位を形成する生地の長軸伸張率は、５０％以上であることが好ましく、７０％以上であることがより好ましく、８０〜１８０％であることがさらに好ましい。圧迫感が強すぎることを防ぎ、着用しにくくなることも防止する。
【００２２】
以下、図面に基づいて、本発明の運動用衣服を説明する。
【００２３】
図１Ａは本発明の運動用衣服の一実施態様の正面図であり、図１Ｂは同背面図であり、図１Ｃは同外側面図である。また、図２Ａは本発明の運動用衣服の他の一実施態様の正面図であり、図２Ｂは同背面図であり、図２Ｃは同外側面図である。また、図３Ａは本発明の運動用衣服の他の一実施態様の正面図であり、図３Ｂは同背面図であり、図３Ｃは同外側面図である。
【００２４】
図１Ａに示しているように、運動用衣服１において、大腿直筋、中間広筋、外側広筋及び内側広筋で構成されている大腿四頭筋の筋腹を覆わないように、長さ方向に沿って大腿四頭筋の左右の両側に緊締部２、３がそれぞれ形成されていることが好ましい。また、図１Ｂに示しているように、運動用衣服１において、緊締部２、３は、大腿二頭筋、半膜様筋及び半腱様筋で構成されているハムストリングの筋腹を覆わないように、長さ方向に沿ってハムストリングの左右の両側に形成されていることがより好ましい。緊締部２、３を上記のように形成することで、運動時の大腿部の筋力発揮や筋パワーを向上することができる。図１Ｃに示しているように、大腿四頭筋の左右の両側に形成されている緊締部とハムストリングの左右の両側に形成されている緊締部は連結されていることが好ましいが、分離されていてもよい。
【００２５】
図２Ａ〜２Ｃに示しているように、緊締部２は、大殿筋の一部を通り、大転子は通らず、ほぼ腸脛靭帯に沿って、膝蓋外側を通り、膝蓋下部に至るように形成されていてもよい。また、緊締部３は、股下からほぼ薄筋に沿って、膝蓋内側及び膝蓋下部を通り、脛骨に沿って、前脛骨筋は通らず、裾部まで至るように形成されていてもよい。緊締部２と緊締部３は膝蓋下部で連結されてもよい。緊締部２、３を上記のように形成することで、運動時の下半身全体の筋力発揮や筋パワーを向上することができるうえ、膝が内側に入りすぎることを防ぎ、膝の外側をサポートすることができる。なお、緊締部２、３は、膝蓋外側の幅を比較的広くし、下肢にかけて徐々に幅を狭くすることが好ましい。また、運動用衣服１において、腓腹筋の筋尾にも緊締部４を形成することが好ましい。緊締部４は、前身内側で緊締部３と連結してもよい。
【００２６】
また、運動用衣服１において、骨盤をサポートするように、骨盤まわりにも緊締部５を配置してもよい。上記骨盤まわりの緊締部５は、着用者の圧迫感を避けるために、例えば図２Ａ〜２Ｃに示しているように、下腹部を避けて、仙骨及び上前腸骨棘はカバーするように配置することが好ましい。
【００２７】
図３において、図２と同様の構成については、説明を省略する。図３Ａ〜図３Ｃに示しているように、運動衣服１において、鼠径部に沿うようにクロッチ付近から上前腸骨棘付近に至る緊締部６を配置してもよい。緊締部６により、骨盤の後傾を抑制することができる。図３において、緊締部６は、分離した構成になっているが、連続した構成でもよい。
【００２８】
図４Ａは本発明の運動用衣服の他の一実施態様の正面図であり、図４Ｂは同背面図であり、図４Ｃは同外側面図である。
【００２９】
図４Ａ〜４Ｃに示すように、運動用衣服１１において、大腿直筋、中間広筋、外側広筋及び内側広筋で構成されている大腿四頭筋の筋腹を覆わないように、長さ方向に沿って大腿四頭筋の左右の両側に緊締部１２及び緊締部１３がそれぞれ形成されていることが好ましい。また、運動用衣服１１において、緊締部１２及び緊締部１３は、大腿二頭筋、半膜様筋及び半腱様筋で構成されているハムストリングの筋腹を覆わないように、長さ方向に沿ってハムストリングの左右の両側に形成されていることがより好ましい。具体的に、運動用衣服１１において、緊締部１２は、大殿筋の一部を通り、大転子は通らず、ほぼ腸脛靭帯に沿って、膝蓋外側を通り、膝蓋部に至るように形成されていてもよい。図４Ａ及び図４Ｃに示すように、緊締部１２は、緊締部１２ａと緊締部１２ｂに分離した構成でもよいが、連続した構成でもよい。また、緊締部１３は、股下からほぼ薄筋に沿って、膝蓋内側を通るように形成されていてもよい。緊締部１２、緊締部１３を上記のように形成することで、運動時の大腿四頭筋の筋力発揮や筋パワーを向上することができる。なお、緊締部２と緊締部３を膝下部で連結して緊締部１７を形成してもよい。緊締部１７により、膝が内側に入りすぎることを防ぎ、膝の外側をサポートすることができる。図４Ａ〜４Ｃに示すように、骨盤まわりに配置された緊締部１５は、前身頃において、後身頃より低い位置に形成されている。
【００３０】
図５Ａは本発明の運動用衣服の他の一実施態様の正面図であり、図５Ｂは同背面図であり、図５Ｃは同外側面図である。図１〜図４では、腰部から足首までを覆うように形成されたタイツについて説明したが、図５では、腰部から膝上までを覆うように形成されたハーフタイツについて説明する。
【００３１】
図５Ａ〜５Ｃに示すように、運動用衣服２１において、大腿直筋、中間広筋、外側広筋及び内側広筋で構成されている大腿四頭筋の筋腹を覆わないように、長さ方向に沿って大腿四頭筋の左右の両側に緊締部２２及び緊締部２３がそれぞれ形成されていることが好ましい。また、運動用衣服２１において、緊締部２２及び緊締部２３は、大腿二頭筋、半膜様筋及び半腱様筋で構成されているハムストリングの筋腹を覆わないように、長さ方向に沿ってハムストリングの左右の両側に形成されていることがより好ましい。具体的に、運動用衣服２１において、緊締部２２は、大殿筋の一部を通り、大転子は通らず、ほぼ腸脛靭帯に沿って、膝蓋外側上部に至るように形成されていてもよい。また、緊締部２３は、股下からほぼ薄筋に沿って、膝蓋内側上部に至るように形成されていてもよい。緊締部２２、緊締部２３を上記のように形成することで、運動時の大腿四頭筋の筋力発揮や筋パワーを向上することができる。
【００３２】
本発明において、生地としては、伸縮性を有するものであればよく、特に限定されず、例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。上記生地は、特に限定されないが、例えば、目付けが１２０〜３８０ｇ／ｍ2の範囲が好ましく、より好ましくは１６０〜３４０ｇ／ｍ2の範囲、さらに好ましくは２４０〜２８０ｇ／ｍ2の範囲である。上記の範囲であれば、運動機能を損なわず、耐久性も良く、軽くて動きやすい利点がある。また、上記生地は、エラストマー樹脂又はゴムにより含浸或いはプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等が挙げられる。ゴムとしては、シリコーンゴム、フッ素ゴム、ウレタンゴム、合成ゴム、天然ゴム等が挙げられる。また、上記生地は一枚であってもよく、異なる伸長率の二枚の生地を重ねたものであってもよい。
【００３３】
上記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００３４】
運動用衣服は、伸長率が異なる生地をそれぞれ用いて緊締部と他の部位を構成してもよく、所定の伸長率の一種類の生地で衣服を作製した後、他の生地を二重打ちして緊締部を形成してもよい。また、“セーレンビスコマジック”（セーレン株式会社製）などのナイロン繊維糸とポリエステル繊維糸を引き揃えた特殊な生地を用いて、ポリエステル繊維のみを所定の位置で特殊溶剤にて溶かすことにより緊締部を形成してもよい。また、島精機製作所の“ホールガーメント”専用機を用いて、緊締部と他の部位を異なる繊維組成で編むことにより作製してもよい。中でも、着用感がより良好になるという観点から、運動用衣服１は、“セーレンビスコマジック”（セーレン株式会社製）などの特殊な生地や島精機製作所の“ホールガーメント”専用機を用いて形成することが好ましい。
【実施例】
【００３５】
以下実施例を用いてさらに具体的に説明する。なお、本発明は下記の実施例に限定されるものではない。
【００３６】
（実施例１）
長軸伸長率が９７．３％、身体の短軸方向における伸長率（以下、単に短軸伸長率と記す。）が９２．５％、目付けが２６０ｇ／ｍ2であるトリコット経編地（ポリエステル繊維７１質量％、ポリウレタン繊維２９質量％）を用い、図２に示したようなランニングタイツを作製した。そして、長軸伸長率が７２．８％、短軸伸長率が３２．８％、目付けが１７０ｇ／ｍ2であるトリコット経編地（ナイロン繊維６７質量％、ポリウレタン繊維３３質量％）を二重打ちして、図２に示したように緊締部２、３、４、５を形成した。緊締部を形成する生地（二重打ち後の生地）の長軸伸長率が３５．３％、短軸伸長率が２９．４％、目付けが４３０ｇ／ｍ2であった。なお、緊締部を形成する生地の長軸伸長率と他の部位を形成する生地の長軸伸長率の比は、２．８であった。
【００３７】
（実施例２）
長軸伸長率が９７．３％、短軸伸長率が９２．５％、目付けが２６０ｇ／ｍ2であるトリコット経編地（ポリエステル繊維７１質量％、ポリウレタン繊維２９質量％）を用い、図２に示したようなランニングタイツを作製した。そして、長軸伸長率が８５．１％、短軸伸長率が４１．０％、目付けが１５５ｇ／ｍ2であるトリコット経編地（ナイロン繊維６７質量％、ポリウレタン繊維３３質量％）を二重打ちして、図２に示したように緊締部２、３、４、５を形成した。緊締部を形成する生地（二重打ち後の生地）の長軸伸長率が６５．３％、短軸伸長率が５８．７％、目付けが４１５ｇ／ｍ2であった。なお、緊締部を形成する生地の長軸伸長率と他の部位を形成する生地の長軸伸長率の比は、１．５であった。
【００３８】
（実施例３）
長軸伸長率が９７．３％、短軸伸長率が９２．５％、目付けが２６０ｇ／ｍ2であるトリコット経編地（ポリエステル繊維７１質量％、ポリウレタン繊維２９質量％）を用い、図２に示したようなランニングタイツを作製した。そして、長軸伸長率が６３．８％、短軸伸長率が２８．８％、目付けが１８５ｇ／ｍ2であるトリコット経編地（ナイロン繊維６７質量％、ポリウレタン繊維３３質量％）を二重打ちして、図２に示したように緊締部２、３、４、５を形成した。緊締部を形成する生地（二重打ち後の生地）の長軸伸長率が２８．８％、短軸伸長率が２５．０％、目付けが４４５ｇ／ｍ2であった。なお、緊締部を形成する生地の長軸伸長率と他の部位を形成する生地の長軸伸長率の比は、３．４であった。
【００３９】
（実施例４）
長軸伸長率が９７．３％、短軸伸長率が９２．５％、目付けが２６０ｇ／ｍ2であるトリコット経編地（ポリエステル繊維７１質量％、ポリウレタン繊維２９質量％）を用い、図２に示したようなランニングタイツを作製した。そして、長軸伸長率が８８．２％、短軸伸長率が５５．０％、目付けが１５０ｇ／ｍ2であるトリコット経編地（ナイロン繊維６７質量％、ポリウレタン繊維３３質量％）を二重打ちして、図２に示したように緊締部２、３、４、５を形成した。緊締部を形成する生地（二重打ち後の生地）の長軸伸長率が７３．０％、短軸伸長率が６８．４％、目付けが４１０ｇ／ｍ2であった。なお、緊締部を形成する生地の長軸伸長率と他の部位を形成する生地の長軸伸長率の比は、１．３であった。
【００４０】
（実施例５）
長軸伸長率が９７．３％、短軸伸長率が９２．５％、目付けが２６０ｇ／ｍ2であるトリコット経編地（ポリエステル繊維７１質量％、ポリウレタン繊維２９質量％）を用い、図２に示したようなランニングタイツを作製した。そして、長軸伸長率が５９．９％、短軸伸長率が２３．３％、目付けが１９４ｇ／ｍ2であるトリコット経編地（ナイロン繊維６７質量％、ポリウレタン繊維３３質量％）を二重打ちして、図２に示したように緊締部２、３、４、５を形成した。緊締部を形成する生地（二重打ち後の生地）の長軸伸長率が２６．４％、短軸伸長率が１８．７％、目付けが４５４ｇ／ｍ2であった。なお、緊締部を形成する生地の長軸伸長率と他の部位を形成する生地の長軸伸長率の比は、３．７であった。
【００４１】
（比較例１）
長軸伸長率が９７．３％、短軸伸長率が９２．５％、目付けが２６０ｇ／ｍ2であるトリコット経編地（ポリエステル繊維７１質量％、ポリウレタン繊維２９質量％）を用いて、図２に示したようなランニングタイツを作製した。比較例１のランニングタイツは、緊締部を有しない以外は実施例１と同様の構成であった。
【００４２】
（比較例２）
実施例１のタイツに、さらに図６に示すように大腿前面部及び下腿後面部にもそれぞれ緊締部１１１、１１２を配置した。比較例２のタイツにおいて、大腿直筋、外側広筋及び内側広筋の腹筋を覆うように緊締部１１１が形成され、腓腹筋の腹筋を覆うように緊締部１１２が形成されていた。比較例２のランニングタイツは、大腿前面部及び下腿後面部にも緊締部を有する以外は、実施例１と同様の構成であった。比較例２における緊締部３２、３３、３４、３５は、それぞれ、実施例１における緊締部２、３、４、５に対応するものであった。
【００４３】
実施例及び比較例のランニングタイツを、それぞれ５名の被験者に着用させ、ランニング時の筋力発揮を下記のように測定し、その結果を下記表１に示した。なお、表１には、５名の被験者の平均を示した。
【００４４】
（筋力発揮）
エアロバイク（COMBI株式会社製「POWERMAX-V」）を全力で１０秒間こぎ、その１０秒間に発揮した筋パワーを測定し、筋力発揮の指標とした。
【００４５】
【表１】
2013139662.tif 000003
【００４６】
上記表１の結果から分かるように、全ての被験者において、実施例のランニングタイツを着用したほうが、緊締部を有しない比較例１のタイツを着用した場合と比較して、筋パワーの値が高く、運動機能が向上していた。特に、緊締部を構成する生地の長軸伸長率と、緊締部を除くその他の部位を構成する生地の長軸伸長率の比が２以上３以下である場合、緊締部を有しない比較例１に比べて筋パワーが２０％近く向上していた。なお、実施例１と比較例２の対比から分かるように、大腿直筋、外側広筋、内側広筋、腓腹筋の腹筋を覆うように緊締部を形成した場合、筋パワーが格段に低下していた。
【００４７】
また、実施例及び比較例のランニングタイツを、それぞれ５名の被験者に着用させ、運動時の緊締部による筋肉の挟み込効効果を、１０ｋｍ／ｈの速度でランニング時の筋肉の疲労しにくさ、腿の上げやすさ、蹴り出しやすさを以下のような５段階の基準で官能評価することで確認し、その結果を下記表２に示した。また、なお、表２には、５名の被験者の平均を示した。
【００４８】
＜筋肉の疲労しにくさ＞
１：疲労しやすい
２：やや疲労しやすい
３：普通
４：やや疲労しにくい
５：疲労しにくい
【００４９】
＜腿の上げやすさ＞
１：上げにくい
２：やや上げにくい
３：普通
４：やや上げやすい
５：上げやすい
【００５０】
＜蹴り出しやすさ＞
１：蹴り出しにくい
２：やや蹴り出しにくい
３：普通
４：やや蹴り出しやすい
５：蹴り出しやすい
【００５１】
＜骨盤部のサポート感＞
１：悪い
２：やや悪い
３：普通
４：良好
５：優れる
【００５２】
＜膝部のサポート感＞
１：悪い
２：やや悪い
３：普通
４：良好
５：優れる
【００５３】
【表２】
2013139662.tif 000004
【００５４】
表２から分かるように、実施例のランニングタイツを着用すると、ランニング時に、筋肉が疲労しにくく、緊締部による筋肉の挟み込み効果を感じることができた。また、緊締部を構成する生地の長軸伸長率と、緊締部を除くその他の部位を構成する生地の長軸伸長率の比が１．５以上３以下であれば、腿も上げやすく、蹴り出しも容易であった。一方、比較例２のように骨格筋の筋腹を覆うように緊締部を配置し、骨格筋の筋腹を圧迫した場合、筋肉が疲労しやすく、腿が上げにくいうえ、蹴り出しも困難であった。また、実施例のランニングタイツでは、骨盤まわりに形成した緊締部によるサポート感を感じることができた。なお、実施例１〜３の比較から、緊締部を構成する生地の長軸伸長率と、緊締部を除くその他の部位を構成する生地の長軸伸長率の比が高いほど、膝と骨盤部のサポート感にすぐれることが分かった。
【００５５】
実施例１〜５及び比較例１のタイツをそれぞれ５名の被験者に着用させ、エアロバイク（ＣＯＭＢＩ株式会社製「ＰＯＷＥＲＭＡＸ−Ｖ」）を１０分間こいでもらい、その特の力の入れやすさを０〜１０の範囲で官能評価した。数値が小さいほど力を入れにくく感じることを意味し、数値が大きいほど力を入れやすいことを意味する。結果を下記表３に示した。下記表３には、緊締部を形成する生地の長軸伸長率と他の部位を形成する生地の長軸伸長率の比（以下において、「伸長率に比」とも記す。）も示した。なお、比較例１のタイツは、緊締部は有しないが、伸長率の比を１とする。以下において、同様である。
【００５６】
【表３】
2013139662.tif 000005
【００５７】
上記表３の結果から、所定の緊締部を有する実施例のタイツを着用したほうが、緊締部を有しない比較例１のタイツを着用した場合と比較して、力を入れやすく感じることが分かった。また、伸長率の比が小さすぎると、力の入れやすさを感じにくい傾向があり、伸長率の比が大きすぎても、過度な圧迫により力の入れやすさを感じにくい傾向があることが分かった。伸長率の比が１．５〜３．５の範囲の場合、力の入れやすさをより強く感じる。
【００５８】
実施例１〜５及び比較例１のタイツをそれぞれ５名の被験者に着用させ、下記のように大腿四頭筋及び腓腹筋の筋発揮トルクを測定した。なお、筋発揮トルクは、体重に比例するので、筋発揮トルクを体重で除した値、すなわち体重当たりの筋発揮トルクで筋力発揮を評価した。また、大腿四頭筋及び腓腹筋の筋発揮トルクの測定とともに、力の入れやすさを０〜１０の範囲で官能評価した。数値が小さいほど力を入れにくく感じることを意味し、数値が大きいほど力を入れやすいことを意味する。結果を下記表４に示した。
【００５９】
（大腿四頭筋の筋発揮トルクの測定）
サイベックス（メディカ社製、型番「ＣＹＢＥＸ６０００」）を用い、膝を９０°に固定した座位姿勢から身体の前方に脚を蹴り上げる際の大腿四頭筋の筋力トルクを測定した。
【００６０】
（腓腹筋の筋発揮トルクの測定）
サイベックス（メディカ社製、型番「ＣＹＢＥＸ６０００」）を用い、膝を９０°に固定した跪座姿勢から踵を押し上げる際の腓腹筋の筋力トルクを測定した。
【００６１】
【表４】
2013139662.tif 000006
【００６２】
図８Ａには、大腿四頭筋における体重当たりの筋発揮トルクと伸長率の比の関係を示し、図８Ｂには、大腿四頭筋における筋発揮トルク測定時の力の入れやすさの官能評価と伸長率の比の関係を示した。図９Ａには、腓腹筋における体重当たりの筋発揮トルクと伸長率の比の関係を示し、図９Ｂには、腓腹筋における筋発揮トルク測定時の力の入れやすさの官能評価と伸長率の比の関係を示した
【００６３】
表４及び図８から分かるように、大腿直筋、中間広筋、外側広筋及び内側広筋で構成されている大腿四頭筋の筋腹を覆わないように、長さ方向に沿って大腿四頭筋の左右の両側に緊締部２、３を配置することにより、大腿四頭筋の筋力発揮が高くなった。また、表４及び図８から分かるように、体重当たりの筋発揮トルクで示される大腿四頭筋の筋力発揮と、大腿四頭筋の筋発揮トルク測定時の力の入れやすさの官能評価は、同様の傾向を示していた。表４及び図９から分かるように、腓腹筋の筋尾を覆うように緊締部４を配置することにより、腓腹筋の筋力発揮が高くなった。また、表４及び図９から分かるように、体重当たりの筋発揮トルクで示される腓腹筋の筋力発揮と、腓腹筋の筋発揮トルク測定時の力の入れやすさの官能評価は、同様の傾向を示していた。伸長率の比が小さすぎると、筋力発揮時の筋形状をサポートする効果が低くなる傾向があり、伸長率の比が大きすぎると、過度な圧迫により筋発揮しにくくなる傾向がある。伸長率の比が１．３〜３．７の範囲の場合、筋力発揮が向上する。伸長率の比が１．５〜３．５の範囲の場合、筋力発揮がより高くなり、伸長率の比が２〜３の範囲の場合、筋力発揮がさらに高くなる。
【符号の説明】
【００６４】
１、１１、２１、３１  運動用衣服
２、３、４、５、６、１２、１２ａ、１２ｂ、１３、１５、１７、２２、２３、３２、３３、３４、３５、１１１、１１２  緊締部
４１  大腿骨
【図１】
2013139662.tif 000007
【図２】
2013139662.tif 000008
【図３】
2013139662.tif 000009
【図４】
2013139662.tif 000010
【図５】
2013139662.tif 000011
【図６】
2013139662.tif 000012
【図７】
2013139662.tif 000013
【図８】
2013139662.tif 000014
【図９】
2013139662.tif 000015